(57)【要約】【課題】連続したストロボ撮に適した撮影条件を設定することができる撮像装置、発光装置、撮像システム、及びこれらの制御方法、並びにプログラムを提供する。【解決手段】撮像システム１では、ストロボ装置３００において、自動調光モード、及び連写優先自動調光モードを少なくとも含む複数の発光モードの１つに設定し、その設定された発光モードをカメラ１００に通知する。一方、カメラ１００において、撮影時に使用される、撮影感度を含む露出制御値を決定した後、ストロボ装置３００から通知された発光モードが連写優先自動調光モードである場合、その決定された撮影感度を大きい値に自動調光より前に変更する。【選択図】図１
2020003567.tif 000002
【特許請求の範囲】
【請求項１】
発光装置と接続し、撮影の際に発光装置を発光させる撮像装置であって、
前記発光装置の発光モードを前記発光装置から取得する取得手段と、
自動調光を行う第１の発光モードでの撮影時に使用される、少なくとも撮影感度を含む露出制御値を決定する決定手段と、
前記取得した前記発光装置の発光モードが連写撮影のための自動調光を行う第２の発光モードである場合、前記決定された撮影感度を大きい値に自動調光より前に変更する変更手段とを備えることを特徴とする撮像装置。
【請求項２】
撮影時に使用される前記撮影感度をユーザの設定した値とする任意設定モード、及び前記撮影感度を前記決定手段により決定された値に変更する自動設定モードの一方に設定する第２の設定手段をさらに備え、
前記通知された発光モードが前記第２の発光モードである場合であって前記任意設定モードが設定されている場合、前記任意設定モードから前記自動設定モードに変更することを特徴とする請求項１記載の撮像装置。
【請求項３】
前記通知された発光モードが前記第２の発光モードである場合は、前記ユーザによる撮影時に使用される前記撮影感度の値の変更を禁止する禁止手段を更に備えることを特徴とする請求項２記載の撮像装置。
【請求項４】
前記禁止手段により前記撮影感度の変更が禁止された場合、その旨を前記ユーザに通知する禁止通知手段をさらに備えることを特徴とする請求項３記載の撮像装置。
【請求項５】
前記変更された撮影感度をユーザに通知する変更通知手段をさらに備えることを特徴とする請求項１乃至４のいずれか１項に記載の撮像装置。
【請求項６】
撮像装置と接続し、前記撮像装置による撮影の際に発光を行う発光装置であって、
自動調光を行う第１の発光モード、及び連写撮影のための自動調光を行う第２の発光モードを少なくとも含む複数の発光モードの１つに設定する設定手段を備え、
前記複数の発光モードは夫々ユーザにより独立に前記設定された発光モードとして選択可能であることを特徴とする発光装置。
【請求項７】
前記撮像装置が対応している発光モードを受信する受信手段と、
前記設定された発光モードを前記撮像装置に通知するモード通知手段とをさらに有し、
前記設定された発光モードが前記第２の発光モードであり、かつ、前記受信手段によって受信した前記撮像装置が対応している発光モードに前記第２の発光モードが含まれていない場合、前記設定手段は、前記第１の発光モードに前記設定された発光モードを変更し、前記モード通知手段は、前記第１の発光モードを前記設定された発光モードとして通知することを特徴とする請求項６記載の発光装置。
【請求項８】
前記設定手段は、前記受信した発光モードに前記第２の発光モードが含まれていない場合、前記複数の発光モードのうち前記第２の発光モードは前記設定された発光モードとしてユーザにより選択できないようにすることを特徴とする請求項７記載の発光装置。
【請求項９】
発光装置と、前記発光装置を発光させて撮影を行う撮像装置とにより構成される撮像システムであって、
前記発光装置において、
自動調光を行う第１の発光モード、及び連写撮影のための自動調光を行う第２の発光モードを少なくとも含む複数の発光モードの１つに設定する第１の設定手段と、
前記複数の発光モードのうち前記発光装置において設定された発光モードを前記撮像装置に通知するモード通知手段とを備え、
前記撮像装置において、
前記第１の発光モードでの撮影時に使用される、少なくとも撮影感度を含む露出制御値を決定する決定手段と、
前記通知された発光モードが前記第２の発光モードである場合、前記決定された撮影感度を大きい値に自動調光より前に変更する変更手段とを備えることを特徴とする撮像システム。
【請求項１０】
発光装置と接続し、撮影の際に発光装置を発光させる撮像装置の制御方法であって、
前記発光装置の発光モードを前記発光装置から取得する取得ステップと、
自動調光を行う第１の発光モードでの撮影時に使用される、少なくとも撮影感度を含む露出制御値を決定する決定ステップと、
前記取得した前記発光装置の発光モードが連写撮影のための自動調光を行う第２の発光モードである場合、前記決定された撮影感度を大きい値に自動調光より前に変更する変更ステップとを有することを特徴とする制御方法。
【請求項１１】
撮像装置と接続し、前記撮像装置による撮影の際に発光を行う発光装置の制御方法であって、
自動調光を行う第１の発光モード、及び連写撮影のための自動調光を行う第２の発光モードを少なくとも含む複数の発光モードの１つに設定する設定ステップを有し、
前記複数の発光モードは夫々ユーザにより独立に前記設定された発光モードとして選択可能であることを特徴とする制御方法。
【請求項１２】
請求項１０又は１１に記載の制御方法を実行することを特徴とするプログラム。
【発明の詳細な説明】
【技術分野】
【０００１】
本発明は、撮像装置、発光装置、撮像システム、及びこれらの制御方法、並びにプログラムに関し、特に、連続したストロボ撮影を行う撮像装置、発光装置、撮像システム、及びこれらの制御方法、並びにプログラムに関する。
【背景技術】
【０００２】
被写体の静止画撮影を行う撮像装置としてのカメラが知られている。このようなカメラでは、被写体の輝度が低い場合、撮影感度を変えて撮影を行うが、撮影感度を変えても適正露出が得られない場合は、ストロボ装置によって被写体にストロボ光を照射して撮影を行う。
【０００３】
撮影感度、および、ストロボ光の発光量の制御方法については、カメラの撮影レンズのフォーカス位置によって、撮影感度を切り替える方法が開示されている（例えば、特許文献１参照）。
【０００４】
また、プリ発光結果から撮影時のストロボ光の発光量を算出し、所定の発光量と比較して、プリ発光結果から算出した発光量の方が大きい場合は、所定の発光量で発光し、差分を撮影感度で補正する方法が開示されている（例えば、特許文献２参照）。
【先行技術文献】
【特許文献】
【０００５】
【特許文献１】特許第４５４７４６５号公報
【特許文献２】特許第５３３２３０４号公報
【発明の概要】
【発明が解決しようとする課題】
【０００６】
しかしながら、特許文献１に開示された従来技術では、撮影条件によってはストロボ光の発光量が最大発光量となることがあり、連続してストロボ撮影を行うと、その撮影の途中で充電切れによりストロボ光を被写体に照射できない場合がある。また、特許文献２に開示された従来技術では、撮影指示後に行われるプリ発光の後で撮影感度が変化するため、ユーザは撮影前に撮影感度を確認することができない。
【０００７】
そこで、本発明の目的は、連続したストロボ撮影に適した撮影条件を設定することができる撮像装置、発光装置、撮像システム、及びこれらの制御方法、並びにプログラムを提供することである。
【課題を解決するための手段】
【０００８】
本発明の請求項１に係る撮像装置は、発光装置と接続し、撮影の際に発光装置を発光させる撮像装置であって、前記発光装置の発光モードを前記発光装置から取得する取得手段と、自動調光を行う第１の発光モードでの撮影時に使用される、少なくとも撮影感度を含む露出制御値を決定する決定手段と、前記取得した前記発光装置の発光モードが連写撮影のための自動調光を行う第２の発光モードである場合、前記決定された撮影感度を大きい値に自動調光より前に変更する変更手段とを備えることを特徴とする。
【０００９】
本発明の請求項６に係る発光装置は、撮像装置と接続し、前記撮像装置による撮影の際に発光を行う発光装置であって、自動調光を行う第１の発光モード、及び連写撮影のための自動調光を行う第２の発光モードを少なくとも含む複数の発光モードの１つに設定する設定手段を備え、前記複数の発光モードは夫々ユーザにより独立に前記設定された発光モードとして選択可能であることを特徴とする。
【００１０】
本発明の請求項９に係る撮像システムは、発光装置と、前記発光装置を発光させて撮影を行う撮像装置とにより構成される撮像システムであって、前記発光装置において、自動調光を行う第１の発光モード、及び連写撮影のための自動調光を行う第２の発光モードを少なくとも含む複数の発光モードの１つに設定する第１の設定手段と、前記複数の発光モードのうち前記発光装置において設定された発光モードを前記撮像装置に通知するモード通知手段とを備え、前記撮像装置において、前記第１の発光モードでの撮影時に使用される、少なくとも撮影感度を含む露出制御値を決定する決定手段と、前記通知された発光モードが前記第２の発光モードである場合、前記決定された撮影感度を大きい値に自動調光より前に変更する変更手段とを備えることを特徴とする。
【発明の効果】
【００１１】
本発明によれば、連続したストロボ撮影に適した撮影条件を設定することができる。
【図面の簡単な説明】
【００１２】
【図１】本発明の撮像システムの構成例を示すブロック図である。
【図２】本発明の実施例１に係る撮像装置における撮影処理の手順を示すフローチャートである。
【図３】本発明の実施例１に係るストロボ装置の発光モード変更処理の手順を示すフローチャートである。
【図４】本発明の実施例２に係るストロボ装置の発光モード変更処理の手順を示すフローチャートである。
【発明を実施するための形態】
【００１３】
以下に、本発明の好ましい実施の形態を、添付の図面に基づいて詳細に説明する。
【００１４】
図１は、本発明に係る撮像システムの構成例を示すブロック図である。
【００１５】
図１において、撮像システムは、撮像装置としてのカメラ１００、レンズ部２００、及び発光装置としてのストロボ装置３００により構成される。
【００１６】
レンズ部２００は、交換可能にカメラ１００と装着されており、カメラ１００のマウント接点群１０３を介して電気的に接続されている。
【００１７】
ストロボ装置３００も、交換可能にカメラ１００と装着されており、カメラ１００のストロボ接点群１０９を介して電気的に接続されている。
【００１８】
以下、カメラ１００の内部構成について説明する。
【００１９】
カメラ制御部１０１は、カメラ１００の各部の動作を制御するマイクロコンピューターである。
【００２０】
撮像素子１０２は、以下後述するレンズ部２００の撮影レンズ２０２を通して入射する被写体からの光を電気信号に変換して画像データを生成し、カメラ制御部１０１へ出力する。
【００２１】
フォーカルプレーンシャッター１０４（以下、シャッター１０４という）は、撮像素子１０２と撮影レンズ２０２との間に配置され、カメラ制御部１０１の指示により動作する。シャッター１０４は先幕と後幕で構成され、先幕が走行しシャッター１０４が開くことにより撮像素子１０２の露光が開始され、後幕が走行しシャッター１０４が閉じることで撮像素子１０２の露光が終了する。
【００２２】
カメラ操作部１０５は、カメラ１００に取り付けられた図１において不図示のレリーズボタン、スイッチ、ダイヤル、接続機器等の操作部材を介してユーザが行った操作を検知し、操作指示に応じた信号をカメラ制御部１０１へ送る。例えば、カメラ操作部１０５は、ユーザがレリーズボタンを半押し操作した場合にＳＷ１信号をカメラ制御部１０１に出力し、ユーザがレリーズボタンを深く押し込む全押し操作を行った場合にＳＷ２信号をカメラ制御部１０１に出力する。
【００２３】
カメラ表示部１０６は、カメラ制御部１０１の指示により、撮影情報の表示や撮影画像の表示を行う。
【００２４】
カメラ制御部１０１は、カメラ操作部１０５の出力信号に基づいて、カメラ１００の動作制御を行う。カメラ操作部１０５よりＳＷ１信号が出力された場合、撮像素子１０２を駆動して撮像を行い、ＡＥ動作をする。ＡＥ動作とは、撮像素子１０２による撮像結果から被写体の輝度を測定する測光制御を繰り返すとともに、測光結果から撮影時に使用するシャッター速度、絞り値、ＩＳＯ感度を決定する。ここで、撮影時に使用するシャッター速度、絞り値、ＩＳＯ感度をまとめて、露出制御値と称する。決定した露出制御値はカメラ表示部１０６の画面上に表示される。一方、カメラ操作部１０５によりＳＷ２信号が出力された場合、以下後述するレンズ部２００の絞り２０３を駆動し、撮像素子１０２の感度（ＩＳＯ感度）を設定して、シャッター１０４を制御して撮像素子１０２へ光を照射させる。カメラ制御部１０１は、撮像素子１０２から取得した画像データに従ってカメラ表示部１０６の画面上に撮影画像を表示させるとともに、画像記憶部１０７へ画像データを書き込む制御を行う。
【００２５】
次に、レンズ部２００の内部構成について説明する。
【００２６】
レンズ制御部２０１は、レンズ部２００の各部の動作を制御するマイクロコンピューターである。撮影レンズ２０２は、複数のレンズにより構成され、被写体像を撮像素子１０２に結像させる。さらに、撮影レンズ２０２内には光量を調節するための絞り２０３とピントを調整するためのフォーカスレンズ（不図示）が備えられている。
【００２７】
レンズ制御部２０１は、マウント接点群１０３を介した制御により、カメラ制御部１０１からの指示に従い、カメラ１００内に取り込む光量とピントを調整する。
【００２８】
次に、ストロボ装置３００の内部構成について説明する。
【００２９】
ストロボ制御部３０１は、ストロボ装置３００の各部の動作を制御するマイクロコンピューターである。ストロボ制御部３０１は、ストロボ接点群１０９を介して、カメラ制御部１０１と通信可能で、カメラ１００からの発光制御指示およびカメラ情報の受信とストロボ情報の送信を行うことができる。発光部３０２は、図１において不図示の放電管、発光用コンデンサー、発光回路、発光光学系より構成され、閃光発光を行うことができる。ストロボ操作部３０３は、ストロボ装置３００に取り付けられた図１において不図示のボタン、ダイヤル等の操作部材を介してユーザが行った操作を検知し、操作指示に応じた信号をストロボ制御部３０１へ送る。ストロボ表示部３０４は、ストロボ制御部３０１の指示により、発光モードなどの表示を行う。
【００３０】
光パルス受信部３０５は、他のストロボ装置の発光部から発光された光パルスを受信し、受信結果をストロボ制御部３０１に出力する。
【００３１】
発光部３０２は、ストロボ制御部３０１の指示により、発光回路を駆動し、発光用コンデンサーに充電されたエネルギーを放電管に放出することにより発光を行い、発光光学系を介して、被写体を照射する。発光量については、ストロボ操作部３０３によって設定してもよいし、ストロボ接点群１０９を介して、カメラ制御部１０１から通信により取得してもよい。ストロボ制御部３０１は、ストロボ接点群１０９を介したカメラ制御部１０１からの指示に従い、カメラ１００の撮影動作に同期して発光部３０２を所定の発光量で発光させる。また、ストロボ制御部３０１は、データを一定の光パルスのパターンに変換し、発光部３０２を駆動してその光パルスのパターンを他のストロボ装置に向けて発光することで、他のストロボ装置にデータを送信する。また、ストロボ制御部３０１は、他のストロボ装置で発光された光パルスを受信した光パルス受信部３０５が出力したその光パルスの受信結果に基づき、その光パルスのパターンを解析する。これにより、他のストロボ装置が光パルスのパターンとして送信したデータの内容を把握する。例えば、把握したデータの内容が発光命令であった場合は、ストロボ制御部３０１は発光部３０２を駆動してその発光命令に従った発光を行う。
【実施例１】
【００３２】
以下、図２のフローチャートを参照して、本発明の実施例１におけるカメラ１００における撮影処理について説明する。図２は主にカメラ制御部１０１がカメラ１００において不図示のＲＯＭのプログラムを読み込んで実行するフローチャートである。本実施例では、ストロボ装置３００がカメラ１００に装着された場合に動作が開始される。
【００３３】
まず、ステップＳ２０１で、カメラ制御部１０１は、ストロボ装置３００に対してカメラ情報の送信を行う。ここで、カメラ情報はカメラ１００が対応している発光モードを含む情報である。
【００３４】
ステップＳ２０２で、カメラ制御部１０１は、ストロボ装置３００からストロボ情報の受信を行う。ここで、ストロボ情報はストロボ装置３００が対応している発光モードのうちユーザ選択された発光モード（以下、ストロボ装置３００の発光モードという）を含む情報である。本実施例では、カメラ１００及びストロボ装置３００はいずれも、自動調光モード（第１の発光モード）、連写優先自動調光モード（第２の発光モード）、及びマニュアル発光モードの３つの発光モードに対応する。ここで、自動調光モードとは、カメラが自動的に発光量を決定するモードであり、連写優先自動調光モードとは、カメラが自動的に連写撮影に適した発光量を決定するモードであり、マニュアル発光モードとは、ユーザが発光量を指定するモードである。自動調光の方法は、例えば定常光の測光結果とプリ発光時の測光結果を比較して発光量を決定する方法など、公知の方法を用いればよい。ステップＳ２０１，Ｓ２０２で説明した発光モードに関する情報の送受信についての詳細は図３において後述する。尚、本実施例では、カメラ１００及びストロボ装置３００はいずれも、上記３つの発光モードに対応しているが、少なくとも自動調光モード及び連写優先自動調光モードに対応する装置であればよい。
【００３５】
ステップＳ２０３では、カメラ制御部１０１は、ステップＳ２０２で受信したストロボ情報に基づき、ストロボ装置３００の発光モードが連写優先自動調光モードであるか否かを判定する。連写優先自動調光モードであれば、ステップＳ２０４に進み、そうでなければステップＳ２０７に進む。
【００３６】
ステップＳ２０４では、カメラ制御部１０１は、連写撮影が設定されているかどうかを判定する。連写撮影が設定されていればステップＳ２０５に進み、設定されていなければステップＳ２０７に進む。連写撮影の設定は、ユーザがカメラ操作部１０５を操作することにより設定することが可能であり、設定値はカメラ表示部１０６に表示される。
【００３７】
ステップＳ２０５では、カメラ制御部１０１は、撮影時に使用される撮影感度（ＩＳＯ感度）の設定モードを判定する。具体的には、後述のステップＳ２０８で演算される値に自動設定するＩＳＯ自動設定モード（自動設定モード）か、ユーザの設定する任意の値とするＩＳＯマニュアル設定モード（任意設定モード）であるかを判定する。ＩＳＯ自動設定モードであればステップＳ２０７に進み、ＩＳＯマニュアル設定モードであればステップＳ２０６に進む。尚、ＩＳＯマニュアル設定モードである場合、ユーザがカメラ操作部１０５を操作することにより撮影時に使用されるＩＳＯ感度の値を設定することが可能であり、設定可能な数値範囲がカメラ表示部１０６に表示される。
【００３８】
ステップＳ２０６では、カメラ制御部１０１は、ＩＳＯマニュアル設定モードをＩＳＯ自動設定モードに変更する。このように、ＩＳＯ自動設定モードに変更することで、ステップＳ２１０で後述するようにＩＳＯ感度をカメラ制御部１０１が自由に変更することが可能となる。さらに、カメラ制御部１０１は、ステップＳ２０３でストロボ装置３００の発光モードが連写優先自動調光モードであると判定した場合は、ユーザによるＩＳＯ感度の設定の変更を禁止する（禁止手段）。このとき、ＩＳＯ感度の設定が変更できなくなったことをユーザに示すために、例えば、カメラ表示部１０６に表示しているＩＳＯ感度を点滅表示されるなどの警告表示を行ってもよい（禁止通知手段）。
【００３９】
ステップＳ２０７では、カメラ制御部１０１は、被写体の輝度を計測する測光制御を行う。ここで測光制御とは、例えば、撮像素子１０２を駆動して撮像を行い、撮像結果から被写体の輝度を計測するような制御を指す。
【００４０】
ステップＳ２０８では、ステップＳ２０７で得られた測光結果から自動調光モードでの撮影時に使用するシャッター速度、絞り値、ＩＳＯ感度といった露出制御値を演算する。
【００４１】
ステップＳ２０９では、カメラ制御部１０１は、連写撮影が設定されていて、かつ、ステップＳ２０２で受信したストロボ情報に含まれる発光モードが連写優先自動調光モードであるか否かを判定する。連写撮影が設定されていて、かつ、連写優先自動調光モードであれば、ステップＳ２１０に進み、そうでなければステップＳ２１１に進む。
【００４２】
ステップＳ２１０では、カメラ制御部１０１は、ステップ２０８で演算されたＩＳＯ感度に所定値を足す演算を行い、演算結果を新たなＩＳＯ感度とする（変更手段）。その後、ステップＳ２０８で演算されたシャッター速度及び絞り値と、ステップＳ２１０で演算されたＩＳＯ感度をカメラ表示部１０６に表示する（変更通知手段）。カメラ表示部１０６に表示することで、ユーザは撮影時の露出制御値、特に変更された撮影感度を確認することができる。
【００４３】
ステップＳ２１１で、カメラ制御部１０１は、撮影開始指示があったかどうかの判定を行う。例えば、ユーザがレリーズボタンを全押し操作して、ＳＷ２信号がＯＮになっていれば、撮影開始指示があったと判定する。撮影開始指示があったと判定すればステップＳ２１２に進み、そうでなければステップＳ２０１に戻る。
【００４４】
ステップＳ２１２で、カメラ制御部１０１は、ストロボ装置３００の発光モードでの撮影を開始し（撮影開始手段）、本処理を終了する。具体的には、ストロボ装置３００の発光モードが自動調光モードである場合は、ステップＳ２０８で演算されたシャッター速度、絞り値、ＩＳＯ感度を用いてステップＳ２１２で撮影が実行される。また、ストロボ装置３００の発光モードが連写優先自動調光モードである場合は、ステップＳ２０８で演算されたシャッター速度、絞り値及びステップＳ２１０で演算されたＩＳＯ感度を用いてステップＳ２１２で連写撮影が実行される。撮影時には、ストロボ装置３００による発光を撮影に同期させて行うことができる。ストロボ装置３００の発光モードが自動調光モード、または、連写優先自動調光モードの場合は、ストロボ発光量をカメラ制御部１０１が決定（自動調光）し、ストロボ接点群１０９を介してストロボ制御部３０１に送信する。ストロボ発光量は、例えば、レリーズボタンの全押し操作から撮影までの間にプリ発光を行うと同時に撮像素子１０２を駆動して撮像を行い、その撮像結果と撮影時のシャッター速度、絞り値、ＩＳＯ感度から、公知の自動調光の方法を用いて決定する。
【００４５】
続いて、ストロボ装置３００における発光モード変更処理について図３のフローチャートを用いて説明する。図３は主にストロボ制御部３０１がストロボ装置３００において不図示のＲＯＭのプログラムを読み込んで実行するフローチャートである。
【００４６】
まず、ステップＳ３０１で、ストロボ制御部３０１は、発光モード選択画面をストロボ表示部３０４に表示する。ここで表示される発光モードは、ストロボ装置３００で制御可能な発光モード、具体的には、自動調光モード、連写優先自動調光モード、及びマニュアル発光モードである。ユーザはストロボ操作部３０３によって、ストロボ表示部３０４に表示される発光モードのいずれか一つを独立に選択可能である。
【００４７】
ステップＳ３０２で、ストロボ制御部３０１は、ユーザがストロボ操作部３０３によって選択した発光モードに変更する。
【００４８】
ステップＳ３０３で、ストロボ制御部３０１は、ストロボ装置３００がストロボ接点群１０９を介して、カメラ１００と接続されているかどうかを判定する。カメラ１００と接続されていると判定すれば、ステップＳ３０４に進み、そうでなければ再度ステップＳ３０３を実行しカメラ１００と接続されるまで待つ。
【００４９】
ステップＳ３０４で、ストロボ制御部３０１は、図２のステップＳ２０１でカメラ１００のカメラ制御部１０１から送信されるカメラ情報の受信を行う（受信手段）。
【００５０】
ステップＳ３０５で、ストロボ制御部３０１は、ステップＳ３０２で変更した発光モードが連写優先自動調光モードかどうかの判定を行う。連写優先自動調光モードであればステップＳ３０６に進み、そうでなければステップＳ３０８に進む。
【００５１】
ステップＳ３０６で、ストロボ制御部３０１は、ステップＳ３０４で受信したカメラ情報から、接続しているカメラ１００が連写優先自動調光モードに対応しているかどうかの判定を行う。対応していればステップＳ３０８に進み、対応していなければステップＳ３０７に進む。
【００５２】
ステップＳ３０７で、ストロボ制御部３０１は、発光モードを自動調光モードに変更する。この発光モードの変更は一時的な変更であってもよいし、恒久的な変更であってもよい。ここで、一時的な変更とは、ストロボ装置３００がカメラと装着している間のみ発光モードを自動調光モードとし、カメラとの装着が解除されたことを検知すると発光モードを連写優先自動調光モードに戻すような動作を指す。また、恒久的な変更とは、再度発光モード選択画面がストロボ表示部３０４に表示され、ユーザにより発光モードが再選択されるまで発光モードを自動調光モードとする動作を指す。
【００５３】
ステップＳ３０８で、ストロボ制御部３０１は、図２のステップＳ２０２でカメラ１００のカメラ制御部１０１が受信するストロボ情報を送信して（モード通知手段）、本処理を終了する。
【００５４】
以上のように制御することで、ストロボ装置３００の発光モードが連写優先自動調光モードである場合、自動調光より前にカメラ制御部１０１によりＩＳＯ感度は演算されたＩＳＯ感度から所定量上げられる。より具体的には、自動調光より前であって、連写撮影設定がされている場合にかかるＩＳＯ感度の調整が行われる。これにより、ステップＳ２１２で行われるプリ発光により決定される撮影時のストロボ発光量は、発光モードが自動調光モードの場合より抑えられるため、連続したストロボ撮影を確実に行うことができる。また、ＩＳＯ感度の変更はユーザによる撮影開始指示の有無を判定する前に完了しているので、ユーザが連続したストロボ撮影の際の撮影感度を撮影前に確認することができる。
【００５５】
また、ＩＳＯ感度の設定がマニュアル設定の場合でも（ステップＳ２０５でＮＯ）、ストロボ装置３００の発光モードが連写優先自動調光モードである場合（ステップＳ２０３でＹＥＳ）、ＩＳＯ自動設定モードに変更する（ステップＳ２０６）。これにより、ユーザは自身で、ステップＳ２０８で演算されたＩＳＯ感度を、ステップＳ２１０におけるＩＳＯ感度に変更するわずらわしさがなくなる。
【００５６】
さらに、ストロボ装置３００においてユーザは連写優先自動調光モードを発光モードの１つとして独立して選択可能とした（ステップＳ３０１）。これにより、連写優先自動調光モードにおけるカメラ１００のＩＳＯ感度の制御が他の発光モードとは異なることをユーザに明示的に示すことが可能となる。
【００５７】
また、上記ユーザ選択された発光モードが連写優先自動調光モードであっても、装着されたカメラ１００が連写優先自動調光モードに非対応である場合（ステップＳ３０６でＮＯ）、発光モードは自動調光モードに変更される（ステップＳ３０７）。これにより、ユーザは自身で発光モードを変更するわずらわしさがなくなる。また、この際、変更後の発光モードをストロボ表示部３０４に表示するようにしてもよい。これにより、ユーザは撮影時の発光モードを容易に確認することができる。
【実施例２】
【００５８】
次に、本発明の実施例２におけるストロボ装置３００の発光モード変更処理について、図４のフローチャートを参照して説明する。図４のフローチャートは実施例１の図３のフローチャートに代替してストロボ装置３００のストロボ制御部３０１がストロボ装置３００において不図示のＲＯＭのプログラムを読み込んで実行する。すなわち、本実施例のハードウェア構成は、実施例１と同じ撮像システムから成る。
【００５９】
まず、ステップＳ４０１で、ストロボ制御部３０１は、ストロボ装置３００がストロボ接点群１０９を介して、カメラ１００と接続されているかどうかを判定する。カメラ１００と接続されていると判定すれば、ステップＳ４０２に進み、そうでなければ再度ステップＳ４０１を実行しカメラ１００と接続されるまで待つ。
【００６０】
ステップＳ４０２で、ストロボ制御部３０１は、図２のステップＳ２０１でカメラ１００のカメラ制御部１０１から送信されるカメラ情報の受信を行う。
【００６１】
ステップＳ４０３で、ストロボ制御部３０１は、ステップＳ４０２で受信したカメラ情報から、接続しているカメラ１００が連写優先自動調光モードに対応しているかどうかの判定を行う。対応していればステップＳ４０４に進み、対応していなければステップＳ４０５に進む。
【００６２】
ステップＳ４０４で、ストロボ制御部３０１は、ストロボ装置３００で制御可能な発光モードである自動調光モード、連写優先自動調光モード、及びマニュアル発光モードのうち、少なくとも連写優先自動調光モードをユーザが選択可能なモードに決定する。その後、ステップＳ４０６に進む。
【００６３】
ステップＳ４０５で、ストロボ制御部３０１は、上記ストロボ装置３００で制御可能な発光モードのうち、少なくとも連写優先自動調光モードをユーザが選択不可能なモードに決定し、ステップＳ４０６に進む。
【００６４】
ステップＳ４０６で、ストロボ制御部３０１は、ステップＳ４０４、または、ステップＳ４０５で決定した現在ユーザが選択可能な発光モードを発光モード選択画面に表示する。発光モード選択画面は、ストロボ表示部３０４に表示してもよいし、カメラ表示部１０６に表示してもよい。カメラ表示部１０６に表示する場合は、ストロボ制御部３０１は、現在ユーザが選択可能な発光モードの情報を、ストロボ接点群１０９を介してカメラ制御部１０１に送信する。
【００６５】
ステップＳ４０７で、ストロボ制御部３０１は、ユーザがストロボ操作部３０３で選択した発光モードに変更する。尚、ステップＳ４０６でカメラ表示部１０６に発光モード選択画面が表示された場合、ユーザはカメラ操作部１０５で発光モードを選択する。この場合は、カメラ制御部１０１は、そのユーザ選択された発光モードの情報を、ストロボ接点群１０９を介してストロボ制御部３０１に送信し、ストロボ制御部３０１は、その送信された情報に基づき発光モードを変更する。
【００６６】
ステップＳ４０８で、ストロボ制御部３０１は、図２のステップＳ２０２でカメラ制御部１０１が受信するストロボ情報を送信して、本処理を終了する。
【００６７】
以上のように制御することで、ストロボ装置３００に接続しているカメラが連写優先自動調光モードに対応している場合のみ、発光モード選択画面上に連写優先自動調光モードの選択肢を表示させて、ユーザ選択可能な発光モードとすることができる。
【００６８】
以上、本発明の好ましい実施形態について説明したが、本発明はこれらの実施形態に限定されず、その要旨の範囲内で種々の変形及び変更が可能である。例えば、本実施形態では、カメラ１００とストロボ装置３００をそれぞれ別々の装置として説明したが、これらが一体となる構成であってもよい。
［その他の実施例］
本発明の目的は、前述した実施例の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００６９】
この場合、記憶媒体から読み出されたプログラムコード自体が前述した実施例の機能を実現することになり、プログラムコード自体及びそのプログラムコードを記憶した記憶媒体は本発明を構成することになる。
【００７０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７１】
また、上述のプログラムコードの指示に基づき、装置上で稼動しているＯＳ（基本システムやオペレーティングシステム）などが処理の一部又は全部を行い、その処理によって前述した実施例の機能が実現される場合も含まれることは言うまでもない。
【００７２】
さらに、記憶媒体から読み出されたプログラムコードが、装置に挿入された機能拡張ボードやコンピュータに接続された機能拡張ユニットに備わるメモリに書込まれ、前述した実施例の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００７３】
１００  カメラ
１０１  カメラ制御部
１０２  撮像素子
１０５  カメラ操作部
１０６  カメラ表示部
２００  レンズ部
３００  ストロボ装置
３０１  ストロボ制御部
３０２  発光部
３０４  ストロボ表示部
【図１】
2020003567.tif 000003
【図２】
2020003567.tif 000004
【図３】
2020003567.tif 000005
【図４】
2020003567.tif 000006